(57)【要約】      （修正有）【課題】フィルムの搬送速度を低下させたり、搬送フィルムに余分なテンションを掛けるなど、製袋効率や巻取り効率などの低下を招くような手法を使用しないで搬送フィルムの送りロールに対する偏位走行を生じない送り機構を提供する。【解決手段】ロール状に巻取られたフィルム２のセット部１と、該セット部１から製袋機構５や巻取り機構などの次の機構へ向けて繰出される前記フィルム２の送りを支持案内するローラ部と、該ローラ部を経由して搬送される前記フィルム２を製袋したり巻取ったりする次の加工機構とを具備したフィルムの送り機構において、前記支持案内ローラ部に用いるローラ４をほぼ鼓形をなすローラ４により形成したこと。【選択図】    図１
2004203525.tif 000002
【特許請求の範囲】
【請求項１】
ロール状に巻取られたフィルムのセット部と、該セット部から製袋機構や巻取り機構などの次の機構へ向けて繰出される前記フィルムの送りを支持案内するローラ部と、該ローラ部を経由して搬送される前記フィルムを製袋したり巻取ったりする次の加工機構とを具備したフィルムの送り機構において、前記支持案内ローラ部に用いるローラをほぼ鼓形をなすローラにより形成したことを特徴とするフィルム送り機構における偏位供給防止ローラ。
【請求項２】
偏位供給防止ローラは、フィルムの走行路が水平方向から垂直方向に、又は、前記とは逆に方向変換される位置に配設した請求項１のローラ。
【請求項３】
鼓形ローラは、外周面にスパイラル状の溝を形成したもの，多段リング状に溝を形成したもの，或は，段階状乃至鋸歯状に溝を形成したもののいずれかを用いた請求項１又は２のローラ。
【請求項４】
ロール状に巻取られたフィルムのセット部と、該セット部から製袋機構に対して繰出される前記フィルムの送りを支持案内するローラ部と、該ローラ部を経由して搬送される前記フィルムを袋状にヒートシールする製袋部を具備した製袋機において、前記セット部と製袋部とを、前記ローラ部を介してフィルム走行路が方向変換されるように配設すると共に、少なくとも方向変換部のローラにほぼ鼓形をなすローラを配置したことを特徴とする製袋装置におけるフィルムの偏位供給防止機構。
【請求項５】
方向変換部の鼓形ローラの下方であって、搬送するフィルム幅の約２〜３倍程度の長さ位置に製袋機構の始端を位置付けた請求項３の製袋装置におけるフィルムの偏位供給防止機構。
【請求項６】
鼓形ローラは、外周面にスパイラル状の溝を形成したもの，多段リング状に溝を形成したもの，或は，段階状乃至鋸歯状に溝を形成したもののいずれかを用いた請求項４又は５の製袋装置におけるフィルムの偏位供給防止機構。
【発明の詳細な説明】
【０００１】
【発明の属する技術分野】
本発明は、主として包装材として用いられるロール状に巻取られた長尺の柔軟な帯状フィルム（以下、単にフィルムという）を、そのロールを解きながら連続的に繰出し、このようにして送られる２枚のフィルムを重ねるか、或は、１枚のフィルムをその送り方向で二つ折りし、底部，側部などをヒートシールして袋状の容器に連続形成するとき、順次形成される前記の各容器に液状などの収容物を充填して当該各容器の天部をヒートシールするようにした充填製袋装置、或は、前記製袋装置などが具備するフィルム送り機構において、前記フィルムを送り方向に関し偏位走行することなく搬送することを可能にしたフィルムの偏位供給を防止する機構に関する。
【０００２】
【従来の技術】
従来、袋材に柔軟なフィルムを用い、内容物を自動的に充填しつつ自動製袋する充填製袋機や前記フィルムを使用した自動製袋機においては、ロール状に巻取ったフィルムをフィルム送り機構を介して製袋機構に連続的に供給し、封筒状などを呈する包装袋に自動製袋することが行われている。また、前記製袋機などにセットして用いるためのロール状フィルムを、ロール状に巻かれた原反フィルムから製袋機用に別途ロール状に巻取るために用いられるフィルム送り機構もある。
【０００３】
しかし、ロール状に巻かれたフィルムは、そのフィルムの製造精度、特に厚みが不均一なことに起因して、ロールから繰出されてフィルム送り機構により走行させられているフィルムが送りロールに対し偏位し易く、これによりフィルムが次の加工機構である製袋機構部などに正確に送り込まれず、製袋不良が出易いという問題があった。この点は、製袋機以外のこの種の柔軟フィルムの送り機構においても、フィルムが偏位供給されて端正なロール状の巻取りが出来ないという問題があった。
【０００４】
上記の問題に対しては、搬送するフィルムにより強い搬送テンションを掛けたり、フィルム送り速度を遅くするなどして偏位走行を抑制することが行われているが、このような手法では、偏位走行の発生が多少抑制できるに止まり、製袋効率や巻き取り効率の低下は避けられないという問題が残っていた。
【０００５】
【発明が解決しようとする課題】
本発明は上記のような自動製袋機などにおけるフィルムの偏位走行に起因した製袋不良の発生、或は、これを抑制するために導入されたフィルム送り速度を低くすることやテンションを高くすることなどに起因した製袋効率や巻取り効率の低下に鑑み、フィルムの搬送速度を低下させたり、搬送フィルムに余分なテンションを掛けるなど、製袋効率や巻取り効率などの低下を招くような手法を使用しないで搬送フィルムの送りロールに対する偏位走行を生じない送り機構を提供することを、その課題とする。
【０００６】
【課題を解決するための手段】
上記課題を解決することを目的としてなされた本発明のフィルム供給防止ローラの構成は、ロール状に巻取られたフィルムのセット部と、該セット部から製袋機構や巻取り機構などの次の機構へ向けて繰出される前記フィルムの送りを支持案内するローラ部と、該ローラ部を経由して搬送される前記フィルムを製袋したり巻取ったりする次の加工機構とを具備したフィルムの送り機構において、前記支持案内ローラ部に用いるローラをほぼ鼓形をなすローラにより形成したことを特徴とするものである。前記ローラは、フィルムの走行路が方向変換される位置に配設することが望ましい。
【０００７】
また、上記ローラを用いた製袋機における偏位供給防止機構の構成は、ロール状に巻取られたフィルムのセット部と、該セット部から製袋機構に対して繰出される前記フィルムの送りを支持案内するローラ部と、該ローラ部を経由して搬送される前記フィルムを袋状にヒートシールする製袋部を具備した製袋機において、前記セット部と製袋部とを、前記ローラ部を介してフィルム走行路が方向変換されるように配設すると共に、少なくとも方向変換部のローラにほぼ鼓形をなすローラを配置したことを特徴とするものである。
【０００８】
本発明偏位供給防止機構では、方向変換部の鼓形ローラの下方であって、搬送するフィルム幅の約２〜３倍程度の長さ位置に製袋部の始端を位置付けることにより、搬送フィルムに偏位が生じない段階でそのフィルムを製袋機構に供給することが可能になる。
【０００９】
また、本発明偏位供給防止機構では、鼓形ローラとして、その外周面を平滑な面に形成したローラの外に、外周面にスパイラル状の溝を形成したもの，多段リング状に溝を形成したもの，或は，段階状乃至鋸歯状に溝を形成したものを用いることがある。
【００１０】
【発明の実施の形態】
次に本発明の実施の形態例について、図を参照しつつ説明する。図１は本発明のフィルム偏位供給防止ローラを用いる偏位防止機構を適用した竪型の自動充填製袋機の要部を模式的に例示した側面図、図２は図１におけるロール状フィルムのセット部と方向変換ローラ部を示す平面図、図３〜図６は図１，図２の偏位防止機構に用いる本発明偏位供給防止ローラの第一例〜第四例の平面図である。
【００１１】
図１，図２において、１はロール状に巻取られた製袋用のフィルムシート２（以下、フィルム２という）のセット部で、前記ロール状のフィルム２は、支持軸３によってこの製袋機におけるセット部１のオープン軸受（図示せず）に、着脱自在に支持される。
【００１２】
４は前記セット部１から図１，図２の左方に略水平方向に沿って離隔した位置に配置した方向変換ローラを兼用した本発明偏位供給防止ローラで、このローラ４は、図２の平面図に略示するように大略鼓形に形成され、フィルム搬送時には常にこのローラ４の中心近傍に搬送されるフィルム２の中心が位置付けられるようになっている。なお、前記ローラ４の形態，機能などについては、図３〜図６により後に詳しく述べる。
【００１３】
５は、上記ローラ４のほぼ直下に配設された製袋部を形成する製袋機構であり、ここでは搬送されて来る１枚のフィルム２を縦方向（送り方向）に沿って２つ折りする２つ折り部51と、この２つ折り部51で２つに折られたフィルム２の開放されている縦方向側辺をヒートシールする縦シールローラ52と、縦シールローラ52の下方にあって縦シールされて送られて来る筒状になったフィルム２の底と天をシールする横シールローラ53と、前記２つのローラ52，53の間に位置し、底はシールされているが未だ天が未シールの袋状に形成されたフィルム２に、液状体などの収容物を充填する充填ノズル54を具備して形成されている。
【００１４】
本発明が適用できる製袋機には、上記の充填製袋機のほか、内容物の充填をしないで１枚フィルムを２つ折りして専ら製袋のみするタイプの製袋機、或は、２枚のフィルムを重ねて四周をヒートシールするタイプの製袋機がある。
【００１５】
図１，図２により説明した製袋機では、セット部１のロール状フィルム２が送りローラ４を通った後に、製袋機構５に偏位することなく送り込まれる必要があるが、従来の製袋機では、前記ローラ４が均一外径の円柱状乃至円筒状ローラであったため、フィルム２の厚さムラなど起因して、当該フィルム２の走行中心がローラ４のセンターから偏位し易く、偏位したまま製袋機構５に搬入されると、製袋不良が出ることは先にも述べた通りである。
【００１６】
そこで本発明では、前記ローラ４に図３〜図６に例示するローラの外観が大略鼓形をなす本発明偏位供給防止ローラ41〜44を用いることにより、送られるフィルム２が、これらのローラ41〜44においては偏位することなくセンターに保持され製袋機構５に真直に供給されるようにしたのである。以下に図３〜図６により鼓形の本発明ローラ41〜44について説明する。
【００１７】
図３〜図６の各本発明ローラ41〜44は、各ローラの中心部の外径が最小で両外側（図３〜図６では上，下方向）に行くに従って外径が暫増するほぼ鼓形を呈する外観に形成されている。そして、図３のローラ41は外表面が平滑面41aに形成され、図４のローラ42は外表面が階段状面42aに形成され、図５のローラ43は外表面にリング状の溝を列設したリング状溝面43aに形成され、図６のローラ44は外表面にスパイラル状の溝を設けたスパイラル溝面44aに形成されている。
【００１８】
上記の各鼓形の本発明ローラ41〜44は、フィルム２の送り方向の中心が当接する各ローラ41〜44の中心部が最小径部であり、かつ、そのフィルム２の送り方向の両外側端が当接する部位が、そのローラ41〜44の最大径部であるから、フィルム２の幅方向において送り方向に関して同一位置にある部位は、フィルム中心よりも両外側がローラの径差がある分、そのフィルム２に係るテンションが大きくなる。また、送られるフィルム２の両外側が当接している部位のローラ外周の周速は中心部位の周速より速く、かつ、両外側の周速は同一であることにより、送られるフィルム２には、このフィルム２をその中心から幅方向の両外側に略均等に引張る張力が作用する。
【００１９】
従って、上記フィルム２は、製袋機構５に送り込まれる直前に、ローラ４（41〜44）によって走行方向がセット部１からの水平方向から垂直方向に変更され、かつ、この方向変更部においてローラ４（41〜44）の両外側において中心部より大きな張力がこのフィルム２に作用するので、当該フィルム２にはその中心から両外側に向う略均等な引張力が作用することによって、このフィルム２はローラ４（41〜44）の両外側のいずれの側にも偏位せずに当該フィルム２の中心がローラ４（41〜44）の中心を通りつつ製袋機構５に送り込まれることとなる。
【００２０】
本発明では、図４〜図６に示すように、ローラ42〜44の外表面を階段状面42aや溝状面43a，44aに形成していることにより、送られるフィルム２の両外側の縁が階段状面42aや溝状面43a，44aの突出部位に当接した形で案内されるから、走行するフィルム２がこのローラ42〜44に対して偏位することは、更に少なくなる。以上の説明は、本発明ローラを図１，図２の自動製袋機に適用した例であるが、本発明ローラは、原反フィルムを適宜外径のロール状に巻取るためのフィルム送り機構などに適用しても、上記例と同等の効果が得られる。
【００２１】
【発明の効果】
本発明は以上の通りであって、これを製袋機に適用した場合には、ロール状に巻取られたフィルムのセット部と、該セット部から製袋機構部に対して製袋機構部に対して繰出される前記フィルムの送りを支持案内するローラ部と、該ローラ部を経由して搬送される前記フィルムを袋状にヒートシールする製袋部を具備した製袋機において、前記セット部と製袋部とを、前記ローラ部を介してフィルム走行路が方向変換されるように配設すると共に、少なくとも方向変換部のローラにほぼ鼓形をなす本発明ローラを配置したことにより、製袋機のフィルムが偏位走行するのを未然に防止できるようにしたから、製袋不良を生じることなくフィルム製の袋を連続製袋できるという効果が得られる。
【００２２】
また、本発明を製袋機以外の柔軟フィルムの送り機構に適用した場合も、本発明ロールの作用で、上記製袋機の場合と同様にフィルムを偏位させることなく次工程の機構に送り込むことができる。
【図面の簡単な説明】
【図１】本発明のフィルム偏位供給防止ローラを用いる偏位防止機構を適用した竪型の自動充填製袋機の要部を模式的に例示した側面図
【図２】図１におけるロール状フィルムのセット部と方向変換ローラ部を示す平面図
【図３】本発明偏位防止機構に用いる送り本発明ローラの第一例の平面図
【図４】本発明偏位防止機構に用いる送り本発明ローラの第二例の平面図
【図５】本発明偏位防止機構に用いる送り本発明ローラの第三例の平面図
【図６】本発明偏位防止機構に用いる送り本発明ローラの第四例の平面図
【符号の説明】
１            製袋用フィルムシートのセット部
２            ロール状のフィルム
３            支持軸
４，41〜44    方向変更ローラ
５            製袋機構
【図１】
2004203525.tif 000003
【図２】
2004203525.tif 000004
【図３】
2004203525.tif 000005
【図４】
2004203525.tif 000006
【図５】
2004203525.tif 000007
【図６】
2004203525.tif 000008